(57)【要約】  複数のＬＥＤ（６０）を収納したホルダー（５０）に対し、複数のＬＥＤ（６０）に光導入部（３１）が面するように取り付けられる照明カバー（１０）であって、当該照明カバー（１０）は、透光性の材料により成形され、光導入部（３１）からの光が外部に放出される表面（２１）と、表面（２１）および光導入部（３１）の間に相互に重なり合い、表面（２１）から光導入部（３１）を覆い隠すように形成された複数の小空洞４０とを有する。
2012111334.tif 000002
【特許請求の範囲】
【請求項１】
複数の発光素子を収納したホルダーに対し、前記複数の発光素子に光導入部が面するように取り付けられる照明カバーであって、
当該照明カバーは、透光性の材料により成形され、
前記光導入部からの光が外部に放出される表面と、
前記表面および前記光導入部の間に相互に重なり合い、前記表面から前記光導入部を覆い隠すように形成された複数の小空洞とを有する、照明カバー。
【請求項２】
請求項１において、
当該照明カバーは、前記光導入部が前記複数の発光素子からの光を当該照明カバーの中心に向かって集光する集光部を有する、照明カバー。
【請求項３】
請求項２において、
前記集光部は、凸形状またはフレネル形状を含む、照明カバー。
【請求項４】
請求項１ないし３のいずれかにおいて、
前記複数の小空洞の密度は、前記表面よりも前記光導入部の方が高い、照明カバー。
【請求項５】
請求項１ないし４のいずれかにおいて、
前記複数の小空洞は前記表面を避けて配置されており、当該照明カバーは、前記表面に沿って前記複数の小空洞の密度の低い透明層を有する、照明カバー。
【請求項６】
請求項１ないし５のいずれかにおいて、
当該照明カバーは、凸面状または球面状の前記表面を含む上部と、
前記光導入部を形成する底部を含む下部とを有する、照明カバー。
【請求項７】
請求項６において、
前記下部は、前記上部の底面に対して、前記上部の下側の一部が柱状に突き出た柱状部を有し、
前記上部の柱状部側および前記柱状部に少なくとも前記複数の小空洞が形成されている、照明カバー。
【請求項８】
請求項６または７において、
前記下部の前記底部に前記複数の小空洞の一部が表れている、照明カバー。
【請求項９】
請求項６ないし８のいずれかにおいて、
前記下部の前記底部に前記複数の小空洞の一部の小空洞が凹形状になるように表れている、照明カバー。
【請求項１０】
請求項６ないし９のいずれかにおいて、
前記上部の底面は、前記ホルダーに当たる、艶消しの接触面を含む、照明カバー。
【請求項１１】
請求項１ないし１０のいずれかに記載の照明カバーと、
前記照明カバーを取り付けた前記ホルダーとを有する、照明装置。
【請求項１２】
請求項１１に記載の照明装置を複数含む照明ユニットと、
前記照明ユニットの複数の前記照明装置のそれぞれの発色を制御する制御ユニットとを有する、照明システム。
【発明の詳細な説明】
【技術分野】
【０００１】
本発明は、照明装置および複数の照明装置を備えた照明システムに関するものである。
【背景技術】
【０００２】
日本国特許公開公報２００３−１５１３０５号（文献１）には、光源に発光ダイオードを用いた電球の口金に棒状で光を通すことのできるアクリル樹脂の片端を差し込み接着してあり、上記のアクリル樹脂棒の先端部分は艶消し状態に加工してあり、上記の透明なアクリル樹脂棒の中には光が当たると輝く不純物が封入されており、光源の発光ダイオードを発光させると透明なアクリル樹脂棒は全体に発光色で光り、上記アクリル樹脂棒はいろいろな長さや太さで製作することが可能であり、発光ダイオードの発光色は多種であるためいろいろな光で輝く電球式照明装置を提供することができることが記載されている。【０００３】
発光ダイオード（ＬＥＤ）などの光源から得られる幾つかの色の光を組み合わせることにより多色の光を出力できる。一方、ＬＥＤ光の眩しさを低減し、均一な明るさを得るための光拡散フィルムあるいはシート、たとえば、白色塩化ビニルシートが提供されている。この光拡散フィルムを用いると、眩しさを低減するとともに、出力される光の色および強度も均一になる。したがって、種々の色の光で光り輝くような照明カバーが得られにくい。
【発明の概要】
【０００４】
本発明の態様の１つは、複数の発光素子を収納したホルダーに対し、複数の発光素子に光導入部が面するように取り付けられる照明カバーである。この照明カバーは、透光性の材料により成形され、光導入部からの光が外部に放出される表面と、表面および光導入部の間に相互に重なり合い、表面から光導入部を覆い隠すように形成された複数の小空洞とを有する。
【０００５】
この照明カバーにおいては、複数の小空洞により光導入部が表面から覆い隠され、表面から直に観察されないようになっている。このため、発光素子から照明カバーに入った光は少なくとも１つの小空洞により散乱された後に表面から外に放出される。したがって、この照明カバーは、発光素子の眩しさを低減できる。その一方、光導入部から照明カバーに導入された複数の発光素子の複数の光は、複数の小空洞の表面や内部で反射したり屈折したりするが、色や光の方向が完全に均一化されることはない。すなわち、この照明カバーにおいては、複数の小空洞が相互に重なり合っているため、複数の光が小空洞の表面や内部で反射したり屈折したりする際に、光学レンズとは逆に、色収差を拡大して色を分散し、多種多様な色の光が種々の方向に放射される。したがって、防眩効果と、多種多様な色の光を放出する機能とを併せ持った照明カバーを提供できる。
【０００６】
さらに、この照明カバーにおいては、複数の小空洞が相互に重なり合っているため、複数の小空洞により光導入部から導入された光が乱反射して表面に到達する。このため、複数の小空洞が乱反射の源あるいは表面から出力される光の中心として見える。したがって、表面から見える複数の小空洞が光り輝いて見える。
【０００７】
照明カバーは、光導入部が複数の発光素子からの光を当該照明カバーの中心に向かって集光する集光部を有することが望ましい。光導入部からの光の漏れを抑制しやすい。集光部は、凸形状またはフレネル形状を含むことが望ましい。
【０００８】
複数の小空洞の密度は、表面よりも光導入部の方が高いことが望ましい。光導入部が表面から直に見えるのをさらに効率よく抑制できる。さらに、複数の小空洞は表面を避けて配置されており、照明カバーは、表面に沿って複数の小空洞の密度の低い透明層を有することが望ましい。
【０００９】
照明カバーの一形態は、凸面状または球面状の表面を含む上部と、光導入部を形成する底部を含む下部とを有するものである。下部は、上部の底面に対して、上部の下側の一部が柱状に突き出た柱状部を有し、上部の柱状部側および柱状部に少なくとも複数の小空洞が形成されていてもよい。光導入部が表面から直に見えるのをさらに効率よく抑制できる。
【００１０】
照明カバーは、さらに、下部の底部に複数の小空洞の一部が表れていることが望ましい。底面近傍の小空洞により、さらに効率よく発光素子からの光が直に表面に達するのを抑制できる。照明カバーの一形態は、下部の底部に複数の小空洞の一部の小空洞が凹形状になるように表れているものである。凹形状の面により光導入部に侵入した光の方向を様々な方向に曲げることができる。
【００１１】
照明カバーの上部の底面は、ホルダーに当たる、艶消しの接触面を含むことが望ましい。ホルダーに対する照明カバーの取り付け位置を接触面で定めることができ、ホルダーに対して着脱しやすい照明カバーを提供できる。また、接触面は平面が好ましく、発光素子からの光が接触面に漏れ出ると照明カバーの表面に直進しやすい。したがって、接触面は、サンドブラストや化学的処理により艶消しの面にしておくことが望ましい。
【００１２】
本発明の異なる態様の１つは、上記の照明カバーと、照明カバーを取り付けたホルダーとを有する照明装置である。眩しさが少なく、多種多様な色の光が出力され、照明カバーの複数の小空洞が光り輝いて見える照明装置を提供できる。
【００１３】
本発明のさらに異なる態様の１つは、上記の照明装置を複数含む照明ユニットと、照明ユニットの複数の照明装置のそれぞれの発色を制御する制御ユニットとを有する照明システムである。照明ユニットを構成するそれぞれの照明装置の発光素子から出力する光の色、タイミング、強度などをそれぞれ制御することにより、それぞれの照明装置の照明カバーを介して様々な色の光を、様々なパターンで出力できる。このため、新たな視覚効果を備え、ステージ、スタジオ、劇場、ホールなど、ユーザーの感性により多種多様な空間に利用できる照明システムを提供できる。照明システムの１つの適用例はステージなどの空間を様々な色の光で照明（演出）できる照明システムである。
【図面の簡単な説明】
【００１４】
【図１】照明システムの概要を模式的に示した図。
【図２】照明装置の概要を示した図。
【図３】照明装置を、照明装置を構成する主なパーツに展開して示した図。
【図４】照明装置のIV−IV断面図（図２のIV−IV断面）。
【図５】照明カバーを各方向から見た図であり、（ａ）は正面図、（ｂ）は平面図、（ｃ）は底面図、（ｄ）はｄ−ｄ端面図。
【図６】異なる照明装置の概要を示した図。
【図７】図６に示す照明カバーを各方向から見た図であり、（ａ）は正面図、（ｂ）は底面図。
【図８】さらに異なる照明カバーを各方向から見た図であり、（ａ）は断面図、（ｂ）は底面図。
【図９】さらに異なる照明装置の概要を示した図。
【図１０】図９に示す照明装置を、照明装置を構成する主なパーツに展開して示した図。
【図１１】さらに異なる照明装置の概要を示した図。
【図１２】図１１に示す照明カバーを各方向から見た図であり、（ａ）は正面図、（ｂ）は底面図。
【図１３】さらに異なる照明カバーを各方向から見た図であり、（ａ）は断面図、（ｂ）は底面図。
【図１４】さらに異なる照明カバーを各方向から見た図であり、（ａ）は断面図、（ｂ）は底面図。
【図１５】さらに異なる照明装置の概要を示した図であり、（ａ）は断面図、（ｂ）はｂ−ｂ断面図。
【図１６】さらに異なる照明装置の概要を示した図。
【発明を実施するための形態】
【００１５】
図１に、本発明の実施形態の１つである照明システム（発光システム）１００の概要を模式的に示している。図２に、照明装置１の概要を斜視図により示している。図３に、照明装置１を、照明装置１を構成する主なパーツに展開して斜視図により示している。図４に、照明装置１のIV−IV断面図（図２のIV−IV断面）を示している。
【００１６】
本例の照明システム１００は、ステージ（舞台）９に設置可能なものである。照明システム１００は、ステージ９の壁面に沿って配置された複数の照明装置１を含む照明ユニット（照明ブロック）１０１と、複数の照明装置１のそれぞれの発色のタイミングを制御する制御ユニット６とを有する。
【００１７】
なお、本例の照明システム１は、ステージ９に設置されているが、設置場所はステージに限らない。照明システム１は、たとえば、店舗、劇場、ホール、スタジオ、ホテル、美術館、会議室、家屋（家庭）の居間、多目的スペースなど多種多様な空間に設置することが可能である。以降の実施形態においても同様である。
【００１８】
本例の照明ユニット１０１は、ステージ９の天井面９ａ、左右の側壁面９ｂ、９ｃおよび床面９ｄに設置された複数の照明装置１を含む。複数の照明装置１のそれぞれは、複数のＬＥＤ（発光素子、光源）６０を収納したホルダー（ハウジング、キャップ）５０と、ホルダー５０に取り付けられ、複数のＬＥＤ６０から照射された光を拡散放射する照明カバー（照明器具、カバー部材、光拡散器）１０とを備えている。なお、本明細書において、ホルダーとは、照明カバーを支持（保持、固定、取り付け）可能な種々の形状のものを含む概念である。
【００１９】
ホルダー５０は、複数のＬＥＤ６０に加え、それぞれのＬＥＤ６０を制御するコントロールボックス４を含む。コントロールボックス４は、複数のＬＥＤ６０に含まれる赤色のＬＥＤ６０Ｒ、緑色のＬＥＤ６０Ｇおよび青色のＬＥＤ６０Ｂの発光のタイミングおよび強度を制御するＬＥＤコントローラ２と、ＤＭＸ規格に対応したコネクタ３とを含む。
【００２０】
それぞれの照明装置１は、ＤＭＸ規格に対応したリンクケーブル５によりデイジーチェーン接続されている。このため、それぞれの照明装置１のＬＥＤコントローラ２は、ＤＭＸデータリンクにより接続される。リンクケーブル５は、ＤＭＸ規格に適合した照明用の制御ユニット６に接続されている。このため、この照明システム１００においては、それぞれの照明装置１の発光させる色、タイミング、強度などを制御ユニット６により自由に制御できる。さらに、この照明システム１００においては、それぞれの照明装置１の発光させるタイミングや強度を含めたパターンをプログラミングすることにより、ステージ９をさまざまな色の光で照明（演出）できる。
【００２１】
図３および図４に示すように、照明装置１は、複数のＬＥＤ６０を収納した円筒状のホルダー５０と、複数のＬＥＤ６０に光導入部３１が面するようにホルダー５０に取り付けられた半球状（ドーム状）の照明カバー１０とを有する。照明カバー１０は、全体が透光性の樹脂製で、ドーム状の上部２０ａと、上部２０ａに対して下方に柱状に突き出た下部２０ｂとを含む。上部２０ａは、光導入部３１からの光が外部に放出される凸面状の表面２１と、ホルダー５０の上面５５に当たる平坦な接触面（底面）２２とを含む。下部２０ｂは、底面２２に囲まれた上部２０ａの下側の一部（中央部分）２０ｘが底面２２に対して円柱状に突き出た柱状部３０を含む。本例の照明カバー１０においては、柱状部３０の底面（底部）３２が光導入部３１となっている。
【００２２】
照明カバー１０は、照明カバー１０の内部１０ｉに形成（内蔵、収容、封入）された、球状や楕円状といった気体が液体中で泡として存在するような形状、あるいはそれらに近い形状を含むさまざまな形状の複数の小空洞４０を含む。複数の小空洞４０は、表面２１および光導入部３１の間に相互に重なり合い、表面２１から光導入部３１を覆い隠すように形成されている。複数の小空洞４０を照明カバー１０の内部１０ｉに形成する方法の１つは、照明カバー１０を射出成形する際に、アクリル樹脂に発泡剤を添加して発生させた複数の気泡を封入することである。
【００２３】
上部２０ａの接触面（底面）２２は、柱状部３０の周囲に形成されており、ホルダー５０に対する照明カバー１０の取り付け位置を定める。接触面２２は、ホルダー５０に対する着脱が容易な平面が好ましいが、ＬＥＤ６０からの光が接触面２２から照明カバー１０の内部１０ｉに入る（漏れ出る）と表面２１に直に到達する可能性がある。したがって、接触面２２は、サンドブラストや化学的処理により艶消しの面にしておくことが望ましい。なお、艶消しの方法としては、サンドブラスト加工に限らず、切削加工、エッチング加工、エンボス加工などの公知の表面処理方法を使用できる。また、艶消しを行う代わりに、接触面２２に黒色などの光を吸収しやすい色を塗ってもよい。
【００２４】
照明カバー１０は、透光性の樹脂性材料（透光性材料）、典型的にはアクリル樹脂を用いて射出成形などにより一体に成形されている。なお、照明カバー１０を形成する材料は透光性の材料であればよく、アクリル樹脂に限らず、ポリエステル樹脂、ポリスチレン樹脂、ポリカーボネート樹脂、ポリ塩化ビニル樹脂などをそれぞれ単独で使用してもよく、２つ以上を混合してもよい。
【００２５】
この照明装置１においては、照明カバー１０の柱状部３０がホルダー５０の上部開口５２に直に嵌め込まれ（取り付けられ）ている。照明装置１は、ホルダー５０の一方（上方）の端にホルダー５０の外側に向けてマトリクス状に配置された９つのＬＥＤ６０を含む。さらに、照明装置１は、ホルダー５０の内部５０ｉに収納された、ＬＥＤ６０を実装して電気的に接続するＬＥＤ基板６１と、ＬＥＤ基板６１と４つのケーブル６３を介して電気的に接続するドライバ基板６２と、ドライバ基板６２に実装された２つのロータリーＤＩＰスイッチ６４およびコントロールボックス４とを含む。ＬＥＤ基板６１は、ホルダー５０の内部５０ｉの凹溝５３に取り付けられている。さらに、照明装置１は、ホルダー５０の他方（下方）の端に配置されたコネクタ３を含む。さらに、照明装置１は、ホルダー５０の外筒５１に長手方向に沿って形成された放熱用の複数の通気孔５４を含む。
【００２６】
ドライバ基板６２は、４つのケーブル６３を介して、ＬＥＤ基板６１に実装された９つのＬＥＤ６０に電力およびＤＭＸ５１２信号を供給し、発色および輝度などの発光制御を行う。したがって、複数の照明装置１を照明ユニット１０１として並べて配置し、これらをリンクケーブル５により接続し、制御ユニット６により複数の照明装置１を連携させることにより、統一的な効果を備えた照明システム１００として使用することができる。
【００２７】
ドライバ基板６２には、照明装置１をスタンドアローン（単体、制御ユニット６に未接続の状態）で使用することができるプログラムと、それによりＬＥＤ６０を制御するマイクロコンピュータチップ（ＣＰＵ）とが搭載されている。したがって、この照明装置１においては、ＤＩＰスイッチ６４でスタンドアローンモードに切り替えることにより、適当な速度や発色のパターンでＬＥＤ６０の発光を制御できる。このパターンは、ＤＩＰスイッチ６４の設定により変えることができる。たとえば、２つのＤＩＰスイッチ６４の各々に、速度や発色のパターンを設定することにより、様々な色の光を発光させ、さらに、発光させる色を固定したりループさせたりでき、点灯させる時間やタイミングも制御できる。
【００２８】
このように制御される９つのＬＥＤ６０は、ＬＥＤ６０Ｒ（赤色）、ＬＥＤ６０Ｇ（緑色）およびＬＥＤ６０Ｂ（青色）の３色に３つずつが対応している。なお、Ｒ、ＧおよびＢの各色を発光するＬＥＤ６０の数は、カラーバランスに基づいて選択できる。ＬＥＤ基板６１は、ホルダー５０の径（直径）と同じ程度のサイズである。本例のＬＥＤ基板６１は、２５−４０ｍｍ程度の円盤状であり、ほぼ中央に実装された１つのＬＥＤ６０の周りを囲むように８つのＬＥＤ６０が同一円周上に並べて実装されている。また、Ｒ、ＧおよびＢの３原色に限らず、他の色のＬＥＤを含めてもよく、２色のＬＥＤを配置してもよい。
【００２９】
図５に、照明カバー１０を各方向から見た図により示している。図５（ａ）は正面図、図５（ｂ）は平面図、図５（ｃ）は底面図、図５（ｄ）はｄ−ｄ端面図である。本例の照明カバー１０のサイズの一例は、径（直径）が３０−５０ｍｍ程度であり、小空洞４０の平均径（直径）が１−５ｍｍ程度である。小空洞４０の平均径（直径）は２−５ｍｍ程度が好ましい。小空洞４０のサイズは、たとえば、照明カバー１０の主たるサイズである直径の１／５０〜１／５程度が好ましい。小空洞４０のサイズは、照明カバー１０の主たるサイズである直径の１／３０〜１／１０程度がさらに好ましい。小空洞４０のサイズは、照明カバー１０の主たるサイズである直径の１／２０〜１／１０程度がいっそう好ましい。ホルダー５０のサイズの一例は、径（直径）が２５−４０ｍｍ程度であり、高さが８５−９５ｍｍ程度である。なお、上記の各値は一例であり、照明カバー１０およびホルダー５０のサイズは上記に限定されない。以降においても同様である。
【００３０】
複数の小空洞４０の一部は、上部２０ａの柱状部３０の側（下方）に密集するように配置されている。さらに、複数の小空洞４０の一部は、上部２０ａと相似的な形態を備えたドーム状の空洞密集領域４１を形成している。さらに、複数の小空洞４０の他の一部は、柱状部３０の全域にわたり同程度の密度で配置されている。複数の小空洞４０のそれぞれは、小空洞４０の平均径よりも狭い間隔で隣り合っており、相互に重なり合ったり、一部が融合したりすることにより、多重化（多層化）されている。このため、この照明カバー１０においては、光が放出する表面２１から光導入部３１が直に観察されないようになっている。
【００３１】
複数の小空洞４０の密度は、表面２１よりも光導入部３１の方が高くなっている。複数の小空洞４０は表面２１を避けて配置されている。このため、照明カバー１０は、空洞密集領域４１を囲むように表面２１に沿って小空洞４０の密度の低い、あるいは存在しない透明領域（透明層）４２を含む。透明領域４２は、全体が透光性で、小空洞４０が存在しない。このため、この照明カバー１０は、透明領域４２で光が反射したり屈折したりしにくい。
【００３２】
柱状部３０の底面３２には、複数の小空洞４０の一部が表れており、それらの小空洞４０の一部の小空洞４０が凹形状になるように表れている。このため、この照明カバー１０においては、凹形状の小空洞４０により光導入部３１に侵入した光の方向を様々な方向に曲げることができる。
【００３３】
図３〜図５に示すように、この照明カバー１０においては、ドーム状の表面２１から見ると、複数の小空洞４０により光導入部３１が表面２１から覆い隠され、直に観察されないようになっている。このため、逆に、ＬＥＤ６０から光導入部３１を介して照明カバー１０に入った光は、直に表面２１に到達することはなく、小空洞４０により散乱された後に表面２１から外に放出される。したがって、この照明装置１を見るユーザー（鑑賞者）に対して、ＬＥＤ６０の眩しさを低減できる。
【００３４】
さらに、光導入部３１から照明カバー１０に導入されたＬＥＤ６０の複数の色の光は、多数の小空洞４０の表面（境界面）で反射したり屈折したりすることにより、光の方向が様々に変わるとともに、色がいっそう分散され、色や光の方向が完全に均一化されることはない。したがって、多種多様な色の光線が種々の方向に放射される。このため、防眩効果と、多種多様な色の光を放出する機能とを併せ持った照明カバー１０およびそれを搭載した照明装置１を提供できる。
【００３５】
さらに、この照明装置１においては、複数の小空洞４０が相互に重なり合っているため、複数の小空洞４０により光導入部３１から導入された光が乱反射して表面２１に到達する。したがって、照明カバー１０に内蔵された複数の小空洞４０が乱反射の源あるいは表面２１から出力される光の中心として見える。このため、複数の小空洞４０、特に、表面２１から見える複数の小空洞４０が光り輝いて見える。したがって、特異な美観を呈する照明装置１を提供できる。また、小空洞４０の配置や、それに対してＬＥＤ６０から入る光の角度や色がそれぞれ異なり、さらに、これらの要素にはある程度のランダム性があるので、照明カバー１０から出力される色や光の方向は予測を超え、新しい視覚効果を備えた照明装置１を提供できる。そのランダムさをさらに、制御ユニット６で変えることにより時間方向にもランダムに変化させることができる。また、ランダム性のある個々の照明装置１に対して、制御ユニット６を用いて、複数の照明装置１の発光や発色のタイミングやパターンをコントロールすることにより、時間的な変動に統一的のある照明システム１００を提供できる。
【００３６】
さらに、このカバー１０においては、内部１０ｉに内蔵された複数の小空洞４０によりＬＥＤ６０が表面２１から覆い隠されているので、部屋の一般照明や太陽光で見たときに、ＬＥＤ６０が見えず、泡の玉に見え、さらに、表面２１から入射した光も屈折されて色分散して放出するので、虹色に輝く泡を観察できるインテリアとして用いることができる。
【００３７】
さらに、この照明装置１の照明カバー１０は、空洞密集領域４１の外側に、表面２１に沿って設けられた透明領域４２を含む。このため、この照明カバー１０においては、透明感を際立たせたクリアな空間の中に、光り輝く複数の小空洞４０が浮いているかのような美感を提供しやすい。
【００３８】
図６に、異なる照明装置１ａの概要を断面図により示している。図７に、照明装置１ａの照明カバー１０ａを各方向から見た図により示している。図７（ａ）は正面図、図７（ｂ）は底面図である。
【００３９】
図６に示すように、照明装置１ａも、９個のＬＥＤ６０を収納したホルダー５０と、それぞれのＬＥＤ６０に光導入部３１が面するようにホルダー５０に取り付けられた照明カバー１０ａとを有する。この照明カバー１０ａの下部２０ｂは、底面２２に囲まれた上部２０ａの下側の一部（中央部分）２０ｘが底面２２に対して円柱状に突き出た柱状部３０と、柱状部３０の下端面が円錐台状に突き出た集光部３５とを含む。集光部３５は、光導入部３１となる下部２０ｂの底部２０ｙに形成され、それぞれのＬＥＤ６０から照射された光を照明カバー１０ａの中央（中心）１０ｘに集める機能（集光機能）を備えた凸形状部１１を含む。なお、その他の構成については上記実施形態と共通であるため、共通の符号を付して説明を省略する。以降においても同様である。
【００４０】
図６および図７に示すように、集光部３５の凸形状部１１は、平坦な底面３５ａと、底面３５ａおよび柱状部３０を繋ぐ斜面３５ｂとを含む。本例の照明カバー１０ａでは、底面３５ａおよび斜面３５ｂに小空洞４０が表れていないが、底面３５ａおよび／または斜面３５ｂに複数の小空洞４０の一部が凹形状になるように表れていてもよい。
【００４１】
上部２０ａの底面２２は、照明カバー１０と同様に艶消しがされており、集光部３５の底面３５ａおよび斜面３５ｂは、羽布（バフ）掛けによる鏡面仕上げがされている。本例の照明カバー１０ａにおいては、凸形状部１１の底面３５ａおよび斜面３５ｂが光導入部３１を形成し、それぞれのＬＥＤ６０から照射された光は、凸形状部１１を通って照明カバー１０ａの内部１０ｉに入射し、照明カバー１０ａの中心１０ｘに集光される。
【００４２】
本例の照明装置１ａにおいては、照明カバー１０ａが凸形状部１１を含む集光部３５を有する。このため、集光部３５から入射した光を照明カバー１０ａの中央１０ｘに向かって集めやすく、上部２０ａの底面２２を介して光が漏れ出すことを抑制できる。したがって、複数の小空洞４０をいっそう明るく照らすことができ、視覚効果を高めやすい。さらに、この照明装置１ａにおいては、光が底面２２を介して漏れ出ることにより、ユーザーに対して、リング状（環状）に形成された光のぎらつきを認識させることを抑制できる。
【００４３】
図８に、さらに異なる照明カバー１０ｂを各方向から見た図により示している。図８（ａ）は断面図、図８（ｂ）は底面図である。この照明カバー１０ａの下部２０ｂは、底面２２に囲まれた上部２０ａの下側の一部（中央部分）２０ｘが底面２２に対して同心円状にジグザグ（鋸波状）に突き出た集光部３５を含む。集光部３５は、光導入部３１となる下部２０ｂの底部２０ｙに形成され、光を照明カバー１０ｂの中央１０ｘ近傍に集める集光機能を備えたフレネル形状部１１を含む。本例では、柱状部３０が省略されており、集光性能を向上させた照明カバー１０ｂを低コストで提供できる。
【００４４】
集光部３５のフレネル形状部１１は、底面２２に対して半球状（ドーム状）に突き出た第１の山部１１ａと、第１の山部１１ａの周りに同心円状に配置されるように半球状を半分にした形状（半円錐状）に突き出た第２の山部１１ｂと、第１の山部１１ａおよび第２の山部１１ｂに挟まれるように第１の山部１１ａおよび第２の山部１１ｂの裾（麓）に形成された谷部（溝部）１１ｃとを含む。第１の山部１１ａは、凸状（ドーム状）の底面１１ｘを含む。第２の山部１１ｂは、半凸状（半ドーム状）の底面１１ｙと、底面１１ｙの頂きおよび谷部１１ｃを接触面２２に対して垂直に繋ぐ壁面１１ｚとを含む。本例の照明カバー１０ｂにおいては、フレネル形状部１１の底面１１ｘ、１１ｙおよび壁面１１ｚが光導入部３１を形成し、光はフレネル形状部１１を介して照明カバー１０ｂの中心１０ｘに集光される。
【００４５】
図９に、さらに異なる照明装置１ｃの概要を斜視図により示している。図１０に、照明装置１ｃを、照明装置１ｃを構成する主なパーツに展開して斜視図により示している。
【００４６】
照明装置１ｃは、円筒状のホルダー５０と、ホルダー５０に取り付ける円筒状のソケット７０と、ソケット７０を介してホルダー５０に取り付けるドーム状の照明カバー１０ｃとを有する。ホルダー５０は、照明装置１のホルダー５０と形状（サイズ）が同じであるが、照明カバー１０ｃは、照明装置１の照明カバー１０よりも形状（サイズ）を大きくしたものである。
【００４７】
照明カバー１０ｃは、柱状部３０をソケット７０の上部開口７１に内側から嵌め込んで（内嵌めして、取り付けて）、ソケット７０の下部開口７２をホルダー５０の上面５５の外周縁５５ａに取り付けることにより、着脱自在に簡単にセットできる。照明カバー１０ｃのサイズの一例は、径（直径）が６０−８０ｍｍ程度である。小空洞４０の平均径（直径）は１−８ｍｍ程度が好ましく、たとえば、小空洞４０のサイズは、照明カバー１０ｃの主たるサイズである直径の１／５０〜１／５程度、さらに好ましくは１／３０〜１／１０、いっそう好ましくは１／２０〜１／１０である。
【００４８】
ホルダー５０およびソケット７０の内部には、２７個のＬＥＤ６０が収納されており、２７個のＬＥＤ６０は、ＬＥＤ６０Ｒ（赤色）、ＬＥＤ６０Ｇ（緑色）およびＬＥＤ６０Ｂ（青色）の３色に９つずつが対応している。ソケット７０の側面７３にも、放熱のための複数の通気孔７４が設けられている。ソケット７０のサイズの一例は、径（直径）が５５−７０ｍｍ程度であり、高さが１０−２０ｍｍ程度である。径（直径）が３０ｍｍよりも小さい照明カバーを取り付ける場合には、照明カバーのサイズに合わせてソケット７０のサイズも小さくすることが好ましい。
【００４９】
この照明装置１ｃにおいては、照明装置１および１ａよりもＬＥＤ６０の個数を増やしており、さらに多彩な表現が可能となる。さらに、この照明装置１ｃにおいては、照明カバー１０ｃを、ソケット７０を介してホルダー５０に取り付けることにより、ホルダー５０の形状およびホルダー５０の内部にセットされるＬＥＤ基板６１やドライバ基板６２などの形状や規格を統一できる。したがって、照明装置を使用するシチュエーションに応じてＬＥＤ６０の個数や照明カバーのサイズを変更しやすく、ソケット７０を介して取り付ける簡易な構成により、いっそう多彩な表現が可能な照明装置を低コストで提供できる。
【００５０】
図１１に、さらに異なる照明装置１ｄの概要を断面図により示している。図１２に、照明装置１ｄの照明カバー１０ｄを各方向から見た図により示している。図１２（ａ）は正面図、図１２（ｂ）は底面図である。
【００５１】
図１１に示すように、照明装置１ｄも、２７個のＬＥＤ６０を収納したホルダー５０と、ホルダー５０に取り付けられたソケット７０と、ソケット７０を介してホルダー５０に取り付けられた照明カバー１０ｄとを有する。この照明カバー１０ｄの下部２０ｂは、底面２２に囲まれた上部２０ａの下側の一部（中央部分）２０ｘが底面２２に対して円錐台状に突き出た集光部３５と、底面２２の周囲（外周縁）２２ａが半球状を半分にした形状（半円錐状）に突き出た突出部２２ｂとを含む。集光部３５は、光導入部３１となる下部２０ｂの底部２０ｙに形成され、それぞれのＬＥＤ６０から照射された光を照明カバー１０ａの中心１０ｘに集める集光機能を備えた凸形状部１１を含む。本例の照明カバー１０ｄは、突出部２２ｂをソケット７０の側面７３に外側から嵌め込んで（外嵌めして、取り付けて）、ソケット７０の下部開口７２をホルダー５０の上面５５の外周縁５５ａに取り付けることにより、着脱自在に簡単にセットできる。ＬＥＤ基板６１は、ホルダー５０の上面５５の上にセット（載置）されている。
【００５２】
図１３に、さらに異なる照明カバー１０ｅを各方向から見た図により示している。図１３（ａ）は断面図、図１３（ｂ）は底面図である。図１４に、さらに異なる照明カバー１０ｆを各方向から見た図により示している。図１４（ａ）は断面図、図１４（ｂ）は底面図である。
【００５３】
これらの照明カバー１０ｅおよび１０ｆの下部２０ｂも、底面２２に囲まれた上部２０ａの下側の一部（中央部分）２０ｘが底面２２に対して同心円状にジグザグ（鋸波状）に突き出た集光部３５を含む。これらの集光部３５も、光導入部３１となる下部２０ｂの底部２０ｙに形成され、それぞれのＬＥＤ６０から照射された光を照明カバー１０ｅの中心１０ｘに集める集光機能を備えたフレネル形状部１１を含む。なお、その他の構成については上記実施形態と共通であるため、共通の符号を付して説明を省略する。
【００５４】
図１５に、さらに異なる照明装置１ｇの概要を断面図により示している。図１５（ｂ）は図１５（ａ）のｂ−ｂ断面図である。この照明装置１ｇは、金属製で円筒状のキャップ（スクリューキャップ）５０ｇと、スクリューキャップ５０ｇに収納された９個のフルカラーＬＥＤ６５に光導入部３１が面するように取り付けられたドーム状の照明カバー１０ｇとを含む。
【００５５】
この照明カバー１０ｇは、照明カバー１０ｅの突出部２２ｂがさらに延び、外側の側面２２ｄにネジが切られた形状のキャップ受け部２２ｃを含む。スクリューキャップ５０ｇは、キャップ受け部２２ｃの外側の側面２２ｄに取り付けられている。スクリューキャップ５０ｇの内部５０ｉには、ＬＥＤ基板６１が配置されており、照明カバー１０ｇの下部２０ｂの底部２０ｙに対峙するようにチップ型のフルカラーＬＥＤ６５が表面実装されている。本例の照明装置１ｇは、ＬＥＤ基板６１と電気的に接続するケーブル６６により、ステージ９の天井面９ａなどに吊り下げて用いることができる。
【００５６】
図１６に、さらに異なる照明装置１ｈの概要を断面図により示している。この照明装置１ｈは、全体が球状の外形を備えている。照明装置１ｈは、金属製でドーム状のキャップ（化粧キャップ）５０ｈと、化粧キャップ５０ｈに収納された９個のフルカラーＬＥＤ６５に光導入部３１が面するように取り付けられたドーム状の照明カバー１０ｈとを含む。
【００５７】
この照明カバー１０ｈは、上部２０ａの平坦な底面２２と、底面２２の周囲（外周縁）２２ａが半球状を半分にした形状（半円錐状）に突き出た突出部２２ｂとを含む。本例の照明カバー１０ｈにおいては、上部２０ａの平坦な底面２２が光導入部３１を形成している。化粧キャップ５０ｈは、照明カバー１０ｈの突出部２２ｂの外側の側面２２ｅを覆うように取り付けられている。
【図１】
2012111334.tif 000003
【図２】
2012111334.tif 000004
【図３】
2012111334.tif 000005
【図４】
2012111334.tif 000006
【図５】
2012111334.tif 000007
【図６】
2012111334.tif 000008
【図７】
2012111334.tif 000009
【図８】
2012111334.tif 000010
【図９】
2012111334.tif 000011
【図１０】
2012111334.tif 000012
【図１１】
2012111334.tif 000013
【図１２】
2012111334.tif 000014
【図１３】
2012111334.tif 000015
【図１４】
2012111334.tif 000016
【図１５】
2012111334.tif 000017
【図１６】
2012111334.tif 000018
【手続補正書】
【提出日】平成24年12月14日(2012.12.14)
【手続補正１】
【補正対象書類名】特許請求の範囲
【補正対象項目名】全文
【補正方法】変更
【補正の内容】
【特許請求の範囲】
【請求項１】
複数の発光素子を収納したホルダーに対し、前記複数の発光素子に光導入部が面するように取り付けられる照明カバーであって、
当該照明カバーは、透光性の材料により成形され、
前記光導入部からの光が外部に放出される表面と、
前記表面および前記光導入部の間に相互に重なり合い、前記表面から前記光導入部を覆い隠すように形成された複数の小空洞とを有し、
前記複数の小空洞は、独立した複数の球状の小空洞と、
少なくとも第１の小空洞および第２の小空洞が融合した複数の非球状の小空洞であって、前記第１の小空洞の表面に対して前記第２の小空洞の表面が突出するように形成された複数の非球状の小空洞とを含む、照明カバー。
【請求項２】
請求項１において、
当該照明カバーは、前記光導入部が前記複数の発光素子からの光を当該照明カバーの中心に向かって集光する集光部を有する、照明カバー。
【請求項３】
請求項２において、
前記集光部は、凸形状またはフレネル形状を含む、照明カバー。
【請求項４】
請求項１ないし３のいずれかにおいて、
前記複数の小空洞の密度は、前記表面よりも前記光導入部の方が高い、照明カバー。
【請求項５】
請求項１ないし４のいずれかにおいて、
前記複数の小空洞は前記表面を避けて配置されており、当該照明カバーは、前記表面に沿って前記複数の小空洞の密度の低い透明層を有する、照明カバー。
【請求項６】
請求項１ないし５のいずれかにおいて、
当該照明カバーは、凸面状または球面状の前記表面を含む上部と、
前記光導入部を形成する底部を含む下部とを有する、照明カバー。
【請求項７】
請求項６において、
前記下部は、前記上部の底面に対して、前記上部の下側の一部が柱状に突き出た柱状部を有し、
前記上部の柱状部側および前記柱状部に少なくとも前記複数の小空洞が形成されている、照明カバー。
【請求項８】
請求項６または７において、
前記下部の前記底部に前記複数の小空洞の一部が表れている、照明カバー。
【請求項９】
請求項６ないし８のいずれかにおいて、
前記下部の前記底部に前記複数の小空洞の一部の小空洞が凹形状になるように表れている、照明カバー。
【請求項１０】
請求項６ないし９のいずれかにおいて、
前記上部の底面は、前記ホルダーに当たる、艶消しの接触面を含む、照明カバー。
【請求項１１】
請求項１ないし１０のいずれかに記載の照明カバーと、
前記照明カバーを取り付けた前記ホルダーとを有する、照明装置。
【請求項１２】
請求項１１に記載の照明装置を複数含む照明ユニットと、
前記照明ユニットの複数の前記照明装置のそれぞれの発色を制御する制御ユニットとを有する、照明システム。
【国際調査報告】
2012111334.tif 000019
2012111334.tif 000020